(57)【要約】【課題】  滑り難く、使用性に優れる飼犬用のゴムマットを提供する。【解決手段】  イソプレンゴム製で、縦５０〜１３０ｃｍ、横４０〜９０ｃｍ、厚さ１．５〜２．５ｍｍの平板状で、四隅を１／４円弧状に丸めた平面略矩形状であり、ＪＩＳ・Ｋ６２５３タイプＡの硬度（１９９３年制定）が４５〜６０であり、明るい薄茶色であり、上面に、深さ０．２〜０．４ｍｍの溝２で形成した島状凸部３を、１ｃｍ２当たり１０〜１４個形成している。【選択図】      図１
0003140812.tif 000002
【実用新案登録請求の範囲】
【請求項１】
イソプレンゴム製で、縦５０〜１３０ｃｍ、横４０〜９０ｃｍ、厚さ１．５〜２．５ｍｍの平板状で、四隅を１／４円弧状に丸めた平面略矩形状であり、ＪＩＳ・Ｋ６２５３タイプＡの硬度が４５〜６０であり、明るい薄茶色であり、上面に、深さ０．２〜０．４ｍｍの溝で形成した島状凸部を、１ｃｍ２当たり１０〜１４個形成してなる飼犬用ゴムマット。
【考案の詳細な説明】
【技術分野】
【０００１】
本考案は、飼犬が休んだり寝たりするときに主に使用するゴムマットに関するものである。
【背景技術】
【０００２】
屋外用飼犬が休んだり寝たりするとき、土間やコンクリート面上に天然ゴムやウレタンゴム製のマット又は合成樹脂製のマット或いは筵等を使用している。
【考案の開示】
【考案が解決しようとする課題】
【０００３】
しかし、天然ゴム製やウレタンゴム製のマットは、犬に対して悪臭を有するので犬が嫌い、また合成樹脂製のマットは、肌触りが悪く、筵は入手困難で且つ耐久性がない。この考案は、犬が好んで休んだり寝たりする飼犬用ゴムマットを提供することを課題とする。
【課題を解決するための手段】
【０００４】
図１乃至図４を参照して説明する。この考案に係る飼犬用ゴムマット１は、イソプレンゴム製で、縦５０〜１３０ｃｍ、横４０〜９０ｃｍ、厚さ１．５〜２．５ｍｍの平板状で、四隅を１／４円弧状に丸めた平面略矩形状であり、ＪＩＳ・Ｋ６２５３タイプＡの硬度（１９９３年制定）が４５〜６０であり、明るい薄茶色（ベージュ）であり、上面に、深さ０．２〜０．４ｍｍの溝２で形成した島状凸部３を、１ｃｍ２当たり１０〜１４個形成したものである。
【考案の効果】
【０００５】
この考案に係る飼犬用マットは、以下の効果を発揮する。
（イ）表面が凹凸型になって滑りにくく飼犬の股関節を守る。
（ロ）床に敷くことで、ゴムの滑り止め効果で飼犬の関節を守る。
（ハ）簡単に水洗いできて、いつも清潔に使用できる。
（ニ）水分を上にこぼしても、下に漏れない。
（ホ）飼犬の足音を吸音する。
（ヘ）床面に対し滑りがなく、特に冬季に凍りつく場所に敷くことで凍結防止になる。
（ト）イソプレンゴム製は、滑り難い。従って、飼犬が、この上を歩く際に滑ってしまうことがなく、よって、股関節を痛めてしまうといった問題を解決することができる。
（チ）浅く水を張った水槽内の底面に敷くことにより、犬が水中歩行のエクササイズをするとき、足が滑るのを防止することが出来る。
（リ）イソプレンゴムは、ゴムの中でも臭いがきつくなく、犬が苦手としない臭いであるため、好んでその上で休んだり、寝たりする。
（ヌ）縦５０〜１３０ｃｍ、横４０〜９０ｃｍ、厚さ１．５〜２．５ｍｍとしているので、大きすぎず、また厚すぎない。従って、容易に丸めて持ち運びすることができ、使用性に優れる。
（ル）四隅を、１／４円弧状に丸めているので、犬の足や人の足などが四隅に引っ掛かる危険性が少なく、使用性に優れる。
（ヲ）ＪＩＳ・Ｋ６２５３タイプＡの硬度が４５〜６０であるので、適度な柔軟性と剛性の両方を備える。従って、敷いた際の安定感があり、風などによって吹き飛んだり、折れ曲がることがない。そのため、取扱いが容易であり、使用性に優れる。
（ワ）明るい薄茶色（ベージュ）であり、この色は人間の肌色にきわめて近いので、人間の肌のように白色の明暗で映り、屋外犬が好む。従って、その上で休んだり寝たりし易い。
（カ）上面に、深さ０．２〜０．４ｍｍの溝２で形成した島状凸部３を、１ｃｍ２当たり１０〜１４個形成しているので、さらに滑り難い。従って、飼犬が股関節を痛めるといった問題をさらに効果的に解決することができる。
（ヨ）屋内犬の場合には、布シートの下に、本考案のゴムマットを敷くことによりズレを防止し且つ布シートの下側の物体が汚れるのを防ぐことが出来、また簡単に水洗い出来る。
【考案を実施するための最良の形態】
【０００６】
本考案に係る飼犬用ゴムマット１を、図１乃至図４に示す。これは、床板、土、コンクリートあるいはタイルなどの上に敷いて使用するものであり、イソプレンゴム製で、縦５０〜１３０ｃｍ、横４０〜９０ｃｍ、厚さ１．５〜２．５ｍｍの平板状で、四隅を１／４円弧状に丸めた平面略矩形状である。
【０００７】
また、ＪＩＳ・Ｋ６２５３タイプＡの硬度（１９９３年制定）が４５〜６０であり、明るい薄茶色（ベージュ）である。さらに、その上面に、深さ０．２〜０．４ｍｍの溝２で形成した例えば平面図がダイヤ型の菱形・三角形・四角形・円錐形等の島状凸部３を、１ｃｍ２当たり１０〜１４個形成したものである。各傾斜溝２は、傾斜状の傾斜面２ａと略水平状の底面２ｂとで形成される。
【０００８】
飼犬用ゴムマット１は、イソプレンゴムで形成しているので、滑り難く、よって、屋外犬が、この上を歩く際に滑ってしまうことがない。これにより、犬が滑って股関節を痛めてしまうことがない。
【０００９】
また、このゴムマット１を形成するイソプレンゴムは、ゴムの中でも臭いがきつくない。また、その大きさを、縦５０〜１３０ｃｍ、横４０〜９０ｃｍ、厚さ１．５〜２．５ｍｍとしているので、大きすぎず、また厚すぎない。従って、容易に丸めて持ち運びすることができ、使用性に優れる。さらに、その四隅を、１／４円弧状に丸めているので、犬や人の足などが四隅の角部に引っ掛かる危険性が少なく、これによっても使用性に優れる。
【００１０】
また、この飼犬用ゴムマット１は、その硬度が、ＪＩＳ・Ｋ６２５３タイプＡで４５〜６０であるので、適度な柔軟性と剛性の両方を備える。従って、敷いて使用する際の安定感に優れ、風などの不意の力によって折れ曲がったり、飛んでしまうことがない。よって、取扱いが容易であり、使用性に優れる。また、その色を、明るい薄茶色（ベージュ）としており、この色は人間の肌のように白黒の明暗で映り、屋外犬が好む。  
【００１１】
さらに、その上面に、深さ０．２〜０．４ｍｍの溝２で形成した島状凸部３を、１ｃｍ２当たり１０〜１４に形成しているので、さらに滑り難い。従って、また歩行する犬が股関節を痛めるといった事態を、より確実に防止することができる。なお、傾斜溝２は、傾斜面２ａを設けて形成しているので、例えば、垂直面で形成する場合と異なり、鋭角な部分が形成されない。よって、汚れが溜まり難く、洗浄も容易である。
【００１２】
本考案に係る飼犬用ゴムマットは、イソプレンゴムを混合練りして、意匠彫刻ロールで圧延したり、所要の模様をモールドで作成しプレス成形することにより製作できる。プレス成形の場合は、随意の箇所に文字・柄の表示が出来る。
【００１３】
なお、本実施形態に係る飼犬用ゴムマット１は、ゴム製の平板状であるため、簡単に水洗いすることができ、常に、清潔に使用することができる。また、その上の水分が下に漏れないので、屋外を綺麗に保つことができる。さらに、冬期に凍り付く場所に敷くことで、凍結を防止することができ、犬が滑って股関節を痛めてしまうことを、さらに防止することができる。
【図面の簡単な説明】
【００１４】
【図１】本考案の実施形態に係る飼犬用ゴムマットを示す平面図である。
【図２】図１に示す飼犬用ゴムマットの正面図である。
【図３】図１の一部拡大図である。
【図４】図３のＸ−Ｘ線断面拡大図である。
【符号の説明】
【００１５】
１      飼犬用ゴムマット
２      溝
２ａ    傾斜面
２ｂ    底面
３      島状凸部
【図１】
0003140812.tif 000003
【図２】
0003140812.tif 000004
【図３】
0003140812.tif 000005
【図４】
0003140812.tif 000006